(57)【要約】【課題】  マナーモードを自動的に設定および解除することが可能な携帯型移動通信端末装置を提供する。【解決手段】  設定部２５は、時計部２３ｂの時刻情報が示す時刻が、格納部２３ａが格納しているマナーモード開始時刻になると、マナーモードを設定し、時計部２３ｂの時刻情報が示す時刻が、格納部２３ａが格納しているマナーモード終了時刻になると、マナーモードを解除する。【選択図】      図１
2006135634.tif 000002
【特許請求の範囲】
【請求項１】
マナーモードを設定可能な携帯型移動通信端末装置であって、
ユーザからマナーモード開始時刻およびマナーモード終了時刻を受け付ける入力部と、
前記入力部が受け付けたマナーモード開始時刻およびマナーモード終了時刻を格納する格納部と、
時刻を示す時刻情報を出力する時計部と、
前記時刻情報が示す時刻が前記マナーモード開始時刻になると、前記マナーモードを設定し、前記時刻情報が示す時刻が前記マナーモード終了時刻になると、前記マナーモードを解除する設定部と、を含む携帯型移動通信端末装置。
【請求項２】
請求項１に記載の携帯型移動通信端末装置において、
前記設定部は、前記時刻情報が示す時刻が前記マナーモード開始時刻になると、前記携帯型移動通信端末装置がマナーモード切替禁止状態であるか否かを判断し、前記携帯型移動通信端末装置が前記マナーモード切替禁止状態であると、該マナーモード切替禁止状態が終了してから前記マナーモードを設定する、携帯型移動通信端末装置。
【請求項３】
請求項２に記載の携帯型移動通信端末装置において、
前記マナーモード切替禁止状態は、通話状態である、携帯型移動通信端末装置。
【請求項４】
請求項１ないし３のいずれか１項に記載の携帯型移動通信端末装置において、
前記入力部は、ユーザから、前記マナーモードを自動的に設定および解除する日を示す日情報を受け付け、
前記格納部は、前記日情報を格納し、
前記時計部は、日時を示す日時情報を出力し、
前記設定部は、前記日時情報が示す日時が、前記日情報が示す日の前記マナーモード開始時刻になると、前記マナーモードを設定し、前記日時情報が示す日時が、前記日にち情報が示す日の前記マナーモード終了時刻になると、前記マナーモードを解除する、携帯型移動通信端末装置。
【請求項５】
請求項４に記載の携帯型移動通信端末装置において、
前記日情報は、繰り返しなしと、毎日繰り返しと、曜日指定繰り返しとのいずれかであり、
前記繰り返しなしは、該繰り返しなしが受け付けられた日のみを示し、
前記毎日繰り返しは、すべての日を示し、
前記曜日指定繰り返しは、ユーザによって指定された曜日のすべての日を示す、携帯型移動通信端末装置。
【請求項６】
マナーモードを設定可能な携帯型移動通信端末装置が行うマナーモード設定方法であって、
ユーザからマナーモード開始時刻およびマナーモード終了時刻を受け付ける入力ステップと、
前記マナーモード開始時刻およびマナーモード終了時刻を格納する格納ステップと、
時刻を示す時刻情報を出力する出力ステップと、
前記時刻情報が示す時刻が前記マナーモード開始時刻になると、前記マナーモードを設定する設定ステップと、
前記時刻情報が示す時刻が前記マナーモード終了時刻になると、前記マナーモードを解除する解除ステップと、を含むマナーモード設定方法。
【請求項７】
請求項６に記載のマナーモード設定方法において、
前記設定ステップは、
前記時刻情報が示す時刻が前記マナーモード開始時刻になると、前記携帯型移動通信端末装置がマナーモード切替禁止状態であるか否かを判断する判断ステップと、
前記携帯型移動通信端末装置が前記マナーモード切替禁止状態であると判断されると、前記マナーモード切替禁止状態が終了してから前記マナーモードを設定するマナーモード設定ステップとを含む、マナーモード設定方法。
【請求項８】
請求項７に記載のマナーモード設定方法において、
前記マナーモード切替禁止状態は、通話状態である、マナーモード設定方法。
【請求項９】
請求項６ないし８のいずれか１項に記載のマナーモード設定方法において、
ユーザから前記マナーモードを自動的に設定および解除する日を示す日情報を受け付ける日情報受け付けステップと、
前記日情報を格納する日情報格納ステップと、
日時を示す日時情報を出力する日時情報出力ステップと、をさらに含み、
前記設定ステップは、前記日時情報が示す日時が、前記日情報が示す日の前記マナーモード開始時刻になると、前記マナーモードを設定することを含み、
前記解除ステップは、前記日時情報が示す日時が、前記日情報が示す日の前記マナーモード終了時刻になると、前記マナーモードを解除することを含む、マナーモード設定方法。
【請求項１０】
請求項９に記載のマナーモード設定方法において、
前記日情報は、繰り返しなしと、毎日繰り返しと、曜日指定繰り返しとのいずれかであり、
前記繰り返しなしは、該繰り返しなしが受け付けられた日のみを示し、
前記毎日繰り返しは、すべての日を示し、
前記曜日指定繰り返しは、ユーザによって指定された曜日のすべての日を示す、マナーモード設定方法。
【発明の詳細な説明】
【技術分野】
【０００１】
本発明は、携帯型移動通信端末装置およびマナーモード設定方法に関し、特には、マナーモードを設定することが可能な携帯型移動通信端末装置およびマナーモード設定方法に関する。
【背景技術】
【０００２】
従来、マナーモードを設定可能な携帯電話機が普及している。マナーモードは、ユーザが操作ボタンを操作することによって設定および解除される。マナーモードが設定されると、携帯電話機は、着信音ではなくバイブレーションで着信をユーザに知らせる。
【発明の開示】
【発明が解決しようとする課題】
【０００３】
従来のマナーモードは、ユーザが操作ボタンを押下しなければ起動しなかった。このため、ユーザがマナーモードの設定を忘れると、携帯電話機は、ユーザが着信音を鳴らしたく場所（例えば、映画館または電車の中）で、着信音を鳴らしてしまう。
【０００４】
また、例えば、ユーザが予め決まった時刻の電車に乗る場合、ユーザは、電車に乗る直前にマナーモードを設定し、電車から降りたらマナーモードを解除するという煩わしい操作を行わなければならなかった。
【０００５】
本発明の目的は、マナーモードを自動的に設定および解除することが可能な携帯型移動通信端末装置およびそのマナーモード設定方法を提供することである。
【課題を解決するための手段】
【０００６】
上記目的を達成するために、本発明の携帯型移動通信端末装置は、マナーモードを設定可能な携帯型移動通信端末装置であって、ユーザからマナーモード開始時刻およびマナーモード終了時刻を受け付ける入力部と、前記入力部が受け付けたマナーモード開始時刻およびマナーモード終了時刻を格納する格納部と、時刻を示す時刻情報を出力する時計部と、前記時刻情報が示す時刻が前記マナーモード開始時刻になると、前記マナーモードを設定し、前記時刻情報が示す時刻が前記マナーモード終了時刻になると、前記マナーモードを解除する設定部とを含む。
【０００７】
また、本発明のマナーモード設定方法は、マナーモードを設定可能な携帯型移動通信端末装置が行うマナーモード設定方法であって、ユーザからマナーモード開始時刻およびマナーモード終了時刻を受け付ける入力ステップと、前記マナーモード開始時刻およびマナーモード終了時刻を格納する格納ステップと、時刻を示す時刻情報を出力する出力ステップと、前記時刻情報が示す時刻が前記マナーモード開始時刻になると、前記マナーモードを設定する設定ステップと、前記時刻情報が示す時刻が前記マナーモード終了時刻になると、前記マナーモードを解除する解除ステップとを含む。
【０００８】
上記の発明によれば、時刻情報が示す時刻がマナーモード開始時刻になると、マナーモードが設定され、時刻情報が示す時刻がマナーモード終了時刻になると、マナーモードが解除される。マナーモード開始時刻およびマナーモード終了時刻は、ユーザから受け付けられる。このため、ユーザが意図した時刻に、マナーモードを自動的に設定および解除することが可能になる。
【０００９】
また、時刻情報が示す時刻がマナーモード開始時刻になると、携帯型移動通信端末装置がマナーモード切替禁止状態であるか否かが判断され、携帯型移動通信端末装置がマナーモード切替禁止状態であると、マナーモード切替禁止状態が終了してからマナーモードが設定される。このため、マナーモード切替禁止状態で、マナーモードが設定されることを防止可能になる。
【００１０】
また、マナーモード切替禁止状態は、通話状態であることが望ましい。この場合、例えば、通話中にマナーモードが設定されて通話障害が発生することを防止可能になる。
【００１１】
また、ユーザからマナーモードを自動的に設定および解除する日を示す日情報が受け付けられ、その日情報が格納され、日時を示す日時情報が出力され、日時情報が示す日時が、日情報が示す日のマナーモード開始時刻になると、マナーモードが設定され、日時情報が示す日時が、日情報が示す日にちのマナーモード終了時刻になると、マナーモードが解除されることが望ましい。
【００１２】
上記の発明によれば、マナーモードの自動設定を日ごとに設定することが可能になる。
【００１３】
また、前記日情報は、繰り返しなしと、毎日繰り返しと、曜日指定繰り返しとのいずれかであり、前記繰り返しなしは、該繰り返しなしが受け付けられた日のみを示し、前記毎日繰り返しは、すべての日を示し、前記曜日指定繰り返しは、ユーザによって指定された曜日のすべての日を示すことが望ましい。
【００１４】
上記の発明によれば、日情報を設定しやすくなる。
【発明の効果】
【００１５】
本発明によれば、時刻情報が示す時刻がマナーモード開始時刻になると、マナーモードが設定され、時刻情報が示す時刻がマナーモード終了時刻になると、マナーモードが解除される。このため、ユーザの意図した時刻に、マナーモードを自動的に設定および解除することが可能になる。
【発明を実施するための最良の形態】
【００１６】
以下、本発明の実施例について図面を参照して説明する。
【００１７】
図１は、本発明の一実施例の携帯電話機を示したブロック図である。なお、携帯電話機１は、携帯型移動通信端末装置の一例である。携帯型移動通信端末装置は、携帯電話機に限らず適宜変更可能である。
【００１８】
図１において、携帯電話機１は、ボタン入力部１０と、制御部２０と、送受信部３０と、アンテナ４０と、発振回路部５０と、表示部６０と、スピーカ７０と、バイブレータ８０とを含む。
【００１９】
制御部２０は、状態監視部２１と、マナーモード設定部２２と、時間測定部２３と、通信制御部２４とを含む。
【００２０】
マナーモード設定部２２は、時間指定マナーモード情報設定部２２ａと、マナーモード情報設定部２２ｂとを含む。
【００２１】
時間測定部２３は、格納部２３ａと、時計部２３ｂと、比較部２３ｃとを含む。状態監視部２１とマナーモード設定部２２と比較部２３ｃとは、設定部２５に含まれる。
【００２２】
ボタン入力部１０は、ユーザからマナーモード開始時刻およびマナーモード終了時刻を受け付ける。また、ボタン入力部１０は、ユーザから時間指定マナーモードの設定指示およびその解除指示を受け付ける。
【００２３】
ボタン入力部１０は、マナーモード開始時刻、マナーモード終了時刻、時間指定マナーモードの設定指示および時間指定マナーモードの解除指示を状態監視部２１に出力する。
【００２４】
状態監視部２１は、ボタン入力部１０から出力されたマナーモード開始時刻およびマナーモード終了時刻を格納部２３ａに出力する。
【００２５】
また、状態監視部２１は、ボタン入力部１０から時間指定マナーモードの設定指示が出力されると、時間指定マナーモード情報設定部２２ａに、時間指定マナーモードが設定されている旨を示す情報（以下「時間指定マナーモード設定情報」と称する。）を設定する。
【００２６】
また、状態監視部２１は、ボタン入力部１０から時間指定マナーモードの解除指示が出力されると、時間指定マナーモード情報設定部２２ａに、時間指定マナーモードが設定されていない旨を示す情報（以下「時間指定マナーモード解除情報」と称する。）を設定する。
【００２７】
マナーモード設定部２２では、時間指定マナーモードの設定および解除が行われ、また、マナーモードの設定および解除が行われる。
【００２８】
具体的には、時間指定マナーモード情報設定部２２ａには、時間指定マナーモード設定情報と時間指定マナーモード解除情報のいずれかが設定され、マナーモード情報設定部２２ｂには、マナーモードが設定されているか否かを示す情報（マナーモード設定情報またはマナーモード解除情報）が設定される。
【００２９】
時間測定部２３は、ユーザから入力されたマナーモード開始時刻およびマナーモード終了時刻を格納し、また、現在時刻を測定する。
【００３０】
具体的には、格納部２３ａは、状態監視部２１から出力されたマナーモード開始時刻およびマナーモード終了時刻を格納する。
【００３１】
時計部２３ｂは、発振回路部５０が出力する基準クロックに基づいて、時刻を示す時刻情報を出力する。
【００３２】
比較部２３ｃは、時計部２３ｂが出力した時刻情報と、格納部２３ａが格納しているマナーモード開始時刻およびマナーモード終了時刻とを比較する。
【００３３】
比較部２３ｃは、時刻情報が示す時刻がマナーモード開始時刻になると、状態監視部２１に起動信号を出力する。また、比較部２３ｃは、時刻情報が示す時刻がマナーモード終了時刻になると、状態監視部２１に解除信号を出力する。
【００３４】
状態監視部２１は、比較部２３ｃの出力と、マナーモード設定部２２に設定された情報とに基づいて、マナーモードの設定を制御する。
【００３５】
具体的には、状態監視部２１は、マナーモード情報設定部２２ｂにマナーモードが設定されていない旨の情報（マナーモード解除情報）が設定されており、かつ、時間指定マナーモード情報設定部２２ｂに時間指定マナーモード設定情報が設定されている場合に、比較部２３ｃが起動信号を出力すると、マナーモード情報設定部２２ｂにマナーモードが設定されている旨の情報（マナーモード設定情報）を設定する。
【００３６】
また、状態監視部２１は、マナーモード情報設定部２２ｂにマナーモード設定情報が設定おり、かつ、時間指定マナーモード情報設定部２２ｂに時間指定マナーモード設定情報が設定されている場合に、比較部２３ｃが解除信号を出力すると、マナーモード情報設定部２２ｂにマナーモード解除情報を設定する。
【００３７】
なお、設定部２５は、状態監視部２１とマナーモード設定部２２と比較部２３ｃとを含むため、時計部２３ｂの時刻情報が示す時刻がマナーモード開始時刻になると、マナーモードを設定し、また、時計部２３ｂの時刻情報が示す時刻がマナーモード終了時刻になると、マナーモードを解除する。
【００３８】
また、設定部２５は、時計部２３ｂの時刻情報が示す時刻がマナーモード開始時刻になると、携帯電話機１がマナーモード切替禁止状態（例えば、通話中の状態）であるか否かを判断し、携帯電話機１がマナーモード切替禁止状態であると、そのマナーモード切替禁止状態が終了してからマナーモードを設定する。
【００３９】
送受信部３０は、アンテナ４０を介して音声着信信号を受信する。送受信部３０は、その音声着信信号を通信制御部２４に出力する。また、送受信部３０は、アンテナ４０を介してメール着信信号を受信する。送受信部３０は、そのメール着信信号を通信制御部２４に出力する。
【００４０】
通信制御部２４は、送受信部３０から音声着信信号またはメール着信信号を受け付けると、マナーモード情報設定部２２ｂに設定されている情報を確認する。
【００４１】
マナーモード情報設定部２２ｂにマナーモード設定情報が設定されていると、通信制御部２４は、バイブレータ８０を動作させてユーザに着信を知らせる。このとき、通信制御部２４は、スピーカ７０から着信音を出力させない。
【００４２】
一方、マナーモード情報設定部２２ｂにマナーモード解除情報が設定されていると、通信制御部２４は、スピーカ７０から着信音を出力させる。なお、このとき、通信制御部２４は、バイブレータ８０を動作させてもよい。
【００４３】
また、通信制御部２４は、マナーモードが設定されているか否かおよび時間指定マナーモードが設定されているか否かを示すアイコンを表示部６０に表示させる。
【００４４】
次に、動作を説明する。
【００４５】
まず、設定部２５が格納部２３ａに格納されたマナーモード開始時刻およびマナーモード終了時刻に基づいてマナーモードを設定する動作（時間指定マナーモード動作）を行うための条件を説明する。
【００４６】
第１の条件は、時間指定マナーモード設定情報が、時間指定マナーモード情報設定部２２ａに設定されていることである。
【００４７】
第２の条件は、例えば、マナーボタンの長押しなど、１つのボタン操作でマナーモード設定情報がマナーモード情報設定部２２ｂに設定されていないことである。換言すると、第２の条件は、マナーモード設定情報が、時間指定マナーモード動作と異なる動作によって設定されていないことである。
【００４８】
図２は、携帯電話機１の動作を説明するためのフローチャートである。以下、図２を参照して、携帯電話機１の動作を説明する。なお、本実施例では、図２に示した動作が定期的に実行される。
【００４９】
ステップ８０では、状態監視部２１は、時間指定マナーモード情報設定部２２ｂに時間指定マナーモード設定情報が設定されているか否か確認する。換言すると、状態監視部２１は、時間指定マナーモードが設定されているか否かを確認する。
【００５０】
時間指定マナーモード情報設定部２２ｂに時間指定マナーモード設定情報が設定されていないと、状態監視部２１は、この動作を終了する。
【００５１】
一方、時間指定マナーモード情報設定部２２ｂに時間指定マナーモード設定情報が設定されていると、状態監視部２１は、ステップ８１を実行する。
【００５２】
ステップ８１では、状態監視部２１は、時計部２３ｂが示す時刻が、格納部２３ａに格納されたマナーモード開始時刻であるか否かを確認する。具体的には、状態監視部２１は、比較部２３ｃが起動信号を出力しているか否かを確認する。
【００５３】
比較部２３ｃが起動信号を出力していると、状態監視部２１はステップ８２を実行する。一方、比較部２３ｃが起動信号を出力していないと、状態監視部８３はステップ８３を実行する。
【００５４】
ステップ８２では、状態監視部２１は、通信制御部２４の状態を確認して、携帯電話機１がマナーモード切替禁止状態（例えば、通話中）であるか否か確認する。
【００５５】
状態監視部２１は、携帯電話機１がマナーモード切替禁止状態でないと直ちにステップ９０を実行する。一方、携帯電話機１がマナーモード切替禁止状態であると、状態監視部２１は、そのマナーモード切替禁止状態が終了してからステップ９０を実行する。
【００５６】
ステップ９０では、状態監視部２１は、マナーモード情報設定部２２ｂにマナーモード設定情報を設定する。
【００５７】
一方、ステップ８３では、状態監視部２１は、時計部２３ｂが示す時刻が、格納部２３ａに格納されたマナーモード終了時刻であるか否かを確認する。具体的には、状態監視部２１は、比較部２３ｃが解除信号を出力しているか否かを確認する。
【００５８】
比較部２３ｃが解除信号を出力していると、状態監視部２１はステップ８４を実行する。
【００５９】
ステップ８４では、状態監視部２１は、再度、時間指定マナーモード情報設定部２２ｂに時間指定マナーモード設定情報が設定されているか否か確認する。
【００６０】
時間指定マナーモード情報設定部２２ｂに時間指定マナーモード設定情報が設定されていないと、状態監視部２１は、この動作を終了する。
【００６１】
一方、時間指定マナーモード情報設定部２２ｂに時間指定マナーモード設定情報が設定されていると、状態監視部２１は、ステップ９１を実行する。
【００６２】
ステップ９１では、状態監視部２１は、マナーモード情報設定部２２ｂにマナーモード解除情報を設定する。
【００６３】
本実施例では、ユーザが予めマナーモード開始時刻およびマナーモード終了時刻を設定すれば、自動的にマナーモードが設定され、また、自動的にマナーモードが解除される。
【００６４】
図３は、表示部６０の表示の一例を示した説明図である。
【００６５】
図３（ａ）は、マナーモードが設定されているときの表示例であり、この場合、マナーモードが設定されていることを示すアイコン６０ａが表示される。
【００６６】
図３（ｂ）は、アイコン６０ａの拡大図である。
【００６７】
図３（ｃ）は、時間指定マナーモードが設定されているが、マナーモードが設定されていない状態（スタンバイ状態）に表示されるアイコン６０ｂを示した説明図である。このように、現在のマナーモードの状態を示すアイコンが、マナーモードの設定状態等に応じて異なっていれば、ユーザは、現在、マナーモードがどのような状態に設定されているか簡単に認識することが可能になる。
【００６８】
なお、本実施例は、以下のように変形してもよい。
【００６９】
ボタン入力部１０が、ユーザから、マナーモードを自動的に設定および解除する日を示す日情報を受け付ける。格納部２３ａがその日情報を格納する。時計部２３ｂが日時を示す日時情報を出力する。比較部２３ｃが、時計部２３ｂが出力した日時情報と、格納部２３ａに格納されているマナーモード開始時刻、マナーモード終了時刻および日情報を比較する。
【００７０】
比較部２３ｃは、日時情報が示す日時が、日情報が示す日のマナーモード開始時刻になると、状態監視部２１に起動信号を出力する。また、比較部２３ｃは、日時情報が示す日時が、日情報が示す日のマナーモード終了時刻になると、状態監視部２１に解除信号を出力する。
【００７１】
なお、日情報として、「繰り返しなし」と「毎日繰り返し」と「曜日指定繰り返し」とが設けられ、ユーザがこれらのうち１つを選択し、その選択されたものをボタン入力部１０が受け付けるようにしてもよい。
【００７２】
状態監視部２１は、日情報として「繰り返しなし」が設定された場合、その日情報が示す日として、その設定がなされた日のみを設定する。
【００７３】
状態監視部２１は、日情報として「毎日繰り返し」が設定された場合、その日情報が示す日として、すべての日を設定する。
【００７４】
状態監視部２１は、日情報として「曜日指定繰り返し」が設定された場合、その日情報が示す日として、ユーザによって指定された曜日のすべての日を設定する。
【００７５】
「繰り返しなし」は、例えば、映画などにいくような突発的な用事があるときに使用されると、ユーザにとって便利である。
【００７６】
「毎日繰り返し」は、例えば、マナーモード開始時刻が就寝時刻に設定され、マナーモード終了時刻が起床時刻に設定されている場合、ユーザにとって便利である。
【００７７】
「曜日指定繰り返し」は、例えば、通勤または通学のために電車に乗っている時間を対応して、マナーモード開始時刻およびマナーモード終了時刻が設定されている場合、ユーザにとって便利である。また、ユーザが仕事中または授業中に着信音を鳴らしたくない場合に使用されると便利である。
【００７８】
本実施例によれば、設定部２５は、時刻情報が示す時刻がマナーモード開始時刻になると、マナーモードを設定し、時刻情報が示す時刻がマナーモード終了時刻になると、マナーモードを解除する。マナーモード開始時刻およびマナーモード終了時刻は、ユーザから受け付けられる。このため、ユーザが意図した時刻に、マナーモードを自動的に設定および解除することが可能になる。
【００７９】
また、本実施例では、設定部２５は、時刻情報が示す時刻がマナーモード開始時刻になると、携帯型移動通信端末装置がマナーモード切替禁止状態であるか否かを判断し、携帯型移動通信端末装置がマナーモード切替禁止状態であると、マナーモード切替禁止状態が終了してからマナーモードを設定する。このため、マナーモード切替禁止状態で、マナーモードが設定されることを防止可能になる。
【００８０】
また、本実施例では、マナーモード切替禁止状態は、通話状態である。この場合、例えば、通話中にマナーモードが設定されて通話障害が発生することを防止可能になる。
【００８１】
また、本実施例では、ボタン入力部１０がユーザからマナーモードを自動的に設定および解除する日を示す日情報を受け付け、格納部２３ａがその日情報を格納し、時計部２３ｂが日時を示す日時情報を出力し、設定部２５が、日時情報が示す日時が、日情報が示す日のマナーモード開始時刻になると、マナーモードを設定し、日時情報が示す日時が、日情報が示す日のマナーモード終了時刻になると、マナーモードを解除する。この場合、マナーモードの自動設定を日ごとに設定することが可能になる。
【００８２】
また、本実施例では、日情報は、繰り返しなしと、毎日繰り返しと、曜日指定繰り返しとのいずれかであり、繰り返しなしは、該繰り返しなしが受け付けられた日のみを示し、毎日繰り返しは、すべての日を示し、曜日指定繰り返しは、指定された曜日のすべての日を示すことが望ましい。この場合、日にち情報を設定しやすくなる。
【００８３】
以上説明した実施例において、図示した構成は単なる一例であって、本発明はその構成に限定されるものではない。
【図面の簡単な説明】
【００８４】
【図１】本発明の一実施例の携帯電話機を示したブロック図である。
【図２】携帯電話機の動作を説明するためのフローチャートである。
【図３】表示部の表示の一例を示した説明図である。
【符号の説明】
【００８５】
１      携帯電話機
１０      ボタン入力部
２０      制御部
２１      状態監視部
２２      マナーモード設定部
２２ａ    時間指定マナーモード情報設定部
２２ｂ    マナーモード情報設定部
２３      時間測定部
２３ａ    格納部
２３ｂ    時計部
２３ｃ    比較部
２４      通信制御部
２５      設定部
３０      送受信部
４０      アンテナ
５０      発振回路部
６０      表示部
７０      スピーカ
８０      バイブレータ
【図１】
2006135634.tif 000003
【図２】
2006135634.tif 000004
【図３】
2006135634.tif 000005